(57)【要約】      （修正有）【課題】絹糸を使用することにより、べとつきのない靴下を提供する。【解決手段】表糸と裏糸からなる靴下１において、靴下１の踵部５・足底部６・爪先部７からなる足底部位８に増糸をし、該増糸に絹糸を使用した靴下１を構成するものである。【選択図】図１
0003100762.tif 000002
【実用新案登録請求の範囲】
【請求項１】
表糸と裏糸からなる靴下において、靴下の踵部・足底部・爪先部からなる足底部に増糸をなし、該増糸に絹糸を使用したことを特徴とする靴下。
【請求項２】
足底部を、カットボス組織に編成した請求項１記載の靴下。
【請求項３】
絹糸が、シルク抽糸である請求項１記載の靴下。
【考案の詳細な説明】
【技術分野】
【０００１】
本考案は靴下に係り、更に詳しくは、足底がべとつかず爽やかな履き心地の靴下に関するものである。
【背景技術】
【０００２】
靴下は、履いた際に足底部位に体重が架かるので、足底部分の感触が重要な要素となっている。そのため従来から、靴下の足底部分に関する先行技術が数多く提案されている。
【０００３】
靴下の足底部分にパイル編組織を形成し、クッション性をよくした靴下が提案されている（例えば、実用新案文献１）。
また、靴下の足底部分を厚編地にし、足底部を補強した靴下が提案されている（例えば、実用新案文献２）。
更に、靴下の足底部分をカットボス組織で厚編地にし、遠道を歩いても疲れない靴下が提案されている（例えば、実用新案文献３）。
【０００４】
（実用新案文献１）    実開平７−４２７７８号公報
（実用新案文献２）    実用新案登録第３０２８４７０号公報
（実用新案文献３）    実用新案登録第３０５４８９９号公報
【０００５】
しかし、上記の先行技術は、何れも足底部分を厚編地するものである。汗によるべたつき感を解消させるためには、厚編地にしない方がよい。靴下の蒸れや汗によるべたつき感は、足底部分の影響が大きく、第二の心臓と云われる足底が不健康な状態に曝されている。そのため近年、健康をうたった絹１００％からなるソックスが好まれるようになってきた。
【０００６】
天然素材の絹は、１８種類のアミノ酸を含む蛋白質の繊維で、皮膚細胞の活力を増進し血管の硬化を防ぎ、若さを保つ効果が認められている。また普通の３倍位の吸水をしても、全く湿った感じを与えず、綿の１．５倍の吸湿性があり、さらに放湿性も早いので、肌をサラサラに保ち、爽やかな感触を味わえる最高の繊維である。然し絹糸を使用した靴下は、本出願人等が先に提出した特願２００２−３５８９６２にとどまっている。
【０００７】
編機のモ−レ装置を使用したカットボス組織は、一般にナイロン糸等の伸縮性のある原糸を、強度を上げる補強の目的で増糸される。しかし、この増糸は、表糸の内面にあって肌に接触する点が注目される。
【考案の開示】
【考案が解決しようとする課題】
【０００８】
上記の事情に鑑み、本考案は、絹糸を使用することにより、べとつきのない靴下の提供を課題とする。
【課題を解決するための手段】
【０００９】
本考案は上記目的を達成するために、表糸と裏糸からなる靴下において、靴下の踵部・足底部・爪先部からなる足底部位に増糸をし、該増糸に絹糸を使用した靴下を構成するものである。
【考案の効果】
【００１０】
本考案の靴下は、足底部位に絹糸を使用したので、足底がべとつかず爽やかで清潔な履き心地のよい、快適さ抜群の靴下となっている。
【００１１】
本考案の靴下は、化学繊維によるアレルギ−体質の人にも適用でき、スパンとの併用により、伸縮性の問題も解消できている。
【００１２】
本考案の靴下は、何度洗濯しても、履き心地が変わることはない。
【考案を実施するための最良の形態】
【００１３】
以下、本考案の実施例を図面に基づいて詳しく説明する。図１は、本考案の靴下の一実施例を示す裏返えした状態の平面図、図２は、本考案の組織図である。
【００１４】
図１の靴下１は、口ゴム部２から編成され、身部３と足甲部４は縦縞の畦模様にしており、踵部５と足底部６と爪先部７とが足底部位８であり、爪先部７で縫製９している。そして本考案の靴下１は、足底部位８が図２に示す増糸１０になっている。
【００１５】
編機は、モーレ装置付きのコンピュータ靴下編機を使用した。モーレ装置は、柄としてはモーレ柄（スプライシング柄またはカット柄とも云われる）が編成できる。モーレ柄とは、添え糸編の応用組織で、主として補強を目的に使用され、水玉模様等が柄も編成できる。モーレ装置の図示は省略するが、編糸をバキュ−ムで口出し、編成後に編糸の両端をカッタ−で切断し、編地の必要な部分だけに増糸する業界用語でいうカットボス組織１１を編成する装置である。
【００１６】
先の増糸１０は、図２に示すカットボス組織１１にすることもできるし、添え糸編組織（図示せず）にすることもできる。足底部位８の中で、少なくとも足底部６は、カットボス編地１１にすることが好ましい。本実施例の場合には、踵部５もカットボス編地にしている。
【００１７】
図１の１２は、カットボス組織１１で増糸１０を切断した糸端を示している。踵部５と爪先部７は、半回転で反転しながら編成されるので、増糸は添え糸編組織で編成する方が楽である。しかし、本実施例のように踵部５もカットボス組織１１にすると、モーレ装置で使用する増糸１０を半回転で切断するために、伸縮性のない糸では、編機の針に巻き付きロス率も高くなる。また増糸１０に使用する絹糸は、天然素材で表面に凹凸もあるのでスムースな送り出しが困難である。そのため、絹糸としてはシルク抽糸を使用することが望ましい。
【００１８】
図２において、靴下の表糸１３には綿糸やアクリル糸やその他の原糸が使用される。本実施例の場合は、綿シルケットの４０番手双糸を使用した。裏糸１４には弾性糸等が使用される。本実施例の場合は、ＳＣＹ４０／７０を使用した。ＳＣＹ４０／７０とは、４０デニールのポリウレタンに７０デニールのナイロンをカバリングした弾性糸である。
【００１９】
増糸１０には、一般にナイロン糸等の伸縮性のある原糸が、強度を上げる目的で補強糸として使用される。本考案の場合には、足底がべとつかせず爽やかな履き心地を付与させるめのものであるため、増糸１０には絹糸を使用する。そして本実施例の場合は、毛番手１／４０のシルク抽糸を使用した。
【００２０】
この増糸１０は、裏糸１４によって包み込まれるが、裏糸１４は弾性糸で収縮するので、増糸１０の絹糸は表糸１３の内面にあって、肌に直接接触することができる。
【産業上の利用可能性】
【００２１】
足底部に増糸をなし、該増糸に絹糸を使用することにより、べとつきのない靴下に適用できる。
【図面の簡単な説明】
【００２２】
【図１】本考案の靴下の一実施例を示す裏返えした状態の平面図である。
【図２】本考案の組織図である。
【符号の説明】
【００２３】
１            靴下
２            口ゴム部
３            身部
４            足甲部
５            踵部    
６            足底部
７            爪先部
８            足底部位
９            縫製箇所
１０        増糸
１１        カットボス組織
１２        増糸のカット糸端
１３        表糸
１４        裏糸
【図１】
0003100762.tif 000003
【図２】
0003100762.tif 000004